(57)【要約】【課題】  着用者のスタイルを更に向上させることができる被服を提供する。【解決手段】  第１緊締部１１は、第１アンカー部２１の前部位置から大転子部位１５を経て、大腿部領域３の内側へ廻りこみ、更に大腿部領域３の前部へ延びて、第２アンカー部３２の前部位置に亘って、螺旋状に延設してあり、第２緊締部１２は、第１アンカー部２１の後部中置から大転子部位１５を経て、第２アンカー部３２の前部中央より少し内側の位置に亘って、半螺旋状に延設してある。そして、第１緊締部１１，１１と第２緊締部１２，１２とは、大転子部位１５及び大腿部領域３の前部の第２交差位置で交差している。【選択図】  図３
2010248652.tif 000002
【特許請求の範囲】
【請求項１】
着用者のウェスト部、下腹部及び臀部を囲繞し、伸縮性を有するパンティ部領域と、着用者の両大腿部を各別に囲繞し、伸縮性を有する一対の大腿部領域とを少なくとも備える被服において、
前記パンティ部領域の前記ウェスト部に対向する位置に、周囲の伸縮力より強い適宜の伸縮力を有する帯状の第１アンカー部が前記ウェスト部を囲繞するように設けてあり、
前記両大腿部領域の適宜位置にそれぞれ、周囲の伸縮力より強い適宜の伸縮力を有する帯状の第２アンカー部が前記大腿部を囲繞するように設けてあり、
前記第１アンカー部と両第２アンカー部との間にそれぞれ、その両端部が第１アンカー部及び第２アンカー部によって支持され、周囲の伸縮力より強い適宜の伸縮力を有する帯状の第１緊締部及び第２緊締部が延設してあり、該第１緊締部と第２緊締部とは、前記パンティ部領域の側部であって着用者の大転子に対向する大転子部位で交差するようになしてある
ことを特徴とする被服。
【請求項２】
前記第１緊締部は、第１アンカー部の前部位置から前記大転子部位を経て、大腿部領域の内側へ廻りこみ、更に第２アンカー部の前部位置に亘って螺旋状に延設してある請求項１記載の被服。
【請求項３】
前記第２緊締部は、第１アンカー部の後部位置から前記大転子部位を経て、第２アンカー部の前部位置に亘って、前記第１緊締部とは逆向きの半螺旋状に延設してある請求項１又は２記載の被服。
【請求項４】
前記パンティ部領域の大転子部位の裏面に複数の凹凸が設けてある請求項１から３のいずれかに記載の被服。
【請求項５】
前記第１緊締部及び第２緊締部はカットボス編によって形成してある請求項１から４のいずれかに記載の被服。
【請求項６】
前記ウェスト部から着用者の膝上位置までを被覆するスパッツ形状になしてある請求項１から５のいずれかに記載の被服。
【発明の詳細な説明】
【技術分野】
【０００１】
本発明は、着用者のウェスト部、下腹部及び臀部を囲繞するパンティ部領域と、着用者の両大腿部を各別に囲繞する大腿部領域とを少なくとも備える被服に関する。
【背景技術】
【０００２】
スポーツ界にあっては、競技者の筋肉又は腱等を保護及び／又は補助すべく、脚又は腕等に適宜のテープを張着させる、所謂テーピングの技術が導入されているが、かかるテーピング技術は熟練を要するため、テーピングを行う技術を有さない一般のユーザであってもテーピングと同等の効果を容易に奏することができる技術の開発が要求されていた。
【０００３】
そのため、後記する特許文献１には次のような被服が開示されている。
【０００４】
図８は、特許文献１に開示された被服を着用した状態を示す正面図であり、図中、５０はパンティ部、大腿部及び下腿部を伸縮性の素材で連続的に製出してなるスパッツ形状の本体である。
【０００５】
本体５０の両大腿部にはそれぞれ、対をなす外側帯状片５１，５１及び内側帯状片５２，５２が縫合してある。外側帯状片５１，５１はそれぞれ、本体５０のパンティ部の外側部を縦通し、大腿部の前部領域を大腿部の上位から下位へ斜通して、大腿部と下腿部との略中間部分である膝部の内側方まで亘るように延設してある。
【０００６】
一方、内側帯状片５２，５２は、本体５０の大腿部の内側であって、前記パンティ部の股下近傍の位置から大腿部の前部領域を大腿部の上位から下位へ斜通して前記膝部の外側方まで亘るように延設してあり、対をなす内側帯状片５２，５２と前記外側帯状片５１，５１とはそれぞれ、大腿部の前部領域であって、前記膝部より少し上方の位置で交差させてある。
【０００７】
また、本体の両下腿部の前部領域にはそれぞれ、略倒立二等辺三角形状の下方帯状部５３，（５３）が縫合してあり、下方帯状部５３，（５３）の上縁は下向きの円弧状になして膝蓋部を覆わないようにしてある。
【０００８】
外側帯状片５１，５１及び内側帯状片５２，５２、並びに下方帯状部５３，（５３）はいずれも、その長手方向より幅方向へ強い伸縮性を有する組織に編成されており、これによって着用者の両脚の筋肉又は腱等を保護及び／又は補助する、所謂テーピング機能を発揮するようになっている。
【０００９】
このような被服にあっては、前述したように外側帯状片５１，５１及び内側帯状片５２，５２が本体の所定位置に縫合してあるため、着用者は当該被服を着用しただけで外側帯状片５１，５１及び内側帯状片５２，５２並びに下方帯状部５３，（５３）が着用者の両脚の適宜位置に対向配置され、所要のテーピング機能を容易に奏することができる。
【００１０】
しかし、このような従来の被服にあっては、着用者の両脚の筋肉又は腱等を保護及び／又は補助することはできるものの、着用者の下半身のスタイルを調整する機能に欠けるという問題があった。
【００１１】
一方、他の部分の収縮力より強い収縮力を有する部分を、着用者の体型に応じた所定領域に配設することによって、例えば着用者の下腹部を押圧すると共に、臀部を持ち上げて着用者の外側形状を補正する補正下着が販売されているが、そのような補正下着では着用者の外側形状を補正するだけであるため、補正下着を外した場合、着用者の外側形状は元のままで変化することは殆どなかった。
そのため、後記する特許文献２には次のような被服が開示されている。
【００１２】
図９は特許文献２に開示された被服の正面図である。
図９に示したように被服は、着用者の膝上までの丈のスパッツ形状をなした本体６０を備えてなり、該本体６０の両大腿部６３，６３には、脚の付根の内側から大腿部の前部を通り、斜め下方へ向かって脚の外側まで延在する第１緊締部７１，７１と、脚の付根と略同じ高さに位置する脚の外側から大腿部の前部を通り、斜め下方へ向かって脚の内側まで延在する第２緊締部７２，７２とが設けてある。そして、第１緊締部７１，７１と第２緊締部７２，７２とは、大腿部６３，６３の前部であって着用者の腸棘点と膝蓋中央点との中間点に対応する部分で交差させてある。
【００１３】
このような被服にあっては、第１緊締部７１，７１と第２緊締部７２，７２とが着用者の腸棘点と膝蓋中央点との中間点に対応する部位に当接し、かかる部位に位置する大腿四頭筋に対して強い緊締力が加えられるので、着用者の脚が自然に後方へ大きく蹴られることになり、これによって大殿筋の使用度が向上して当該大殿筋の筋力が増大するため、着用者の臀部が持ち上がる、所謂ヒップアップ効果が奏される。
【先行技術文献】
【特許文献】
【００１４】
【特許文献１】特公平７−４９６０２号公報
【特許文献２】特許第３９２４５８６号公報
【発明の概要】
【発明が解決しようとする課題】
【００１５】
しかしながら、特許文献２に開示された如き被服にあっては、第１緊締部７１，７１及び第２緊締部７２，７２の大腿四頭筋及び大殿筋への作用によるヒップアップ効果しか期待できないという問題があった。
【００１６】
本発明は、斯かる事情に鑑みてなされたものであって、着用者のスタイルを更に向上させることができる被服を提供する。
【課題を解決するための手段】
【００１７】
（１）本発明に係る被服は、着用者のウェスト部、下腹部及び臀部を囲繞し、伸縮性を有するパンティ部領域と、着用者の両大腿部を各別に囲繞し、伸縮性を有する一対の大腿部領域とを少なくとも備える被服において、前記パンティ部領域の前記ウェスト部に対向する位置に、周囲の伸縮力より強い適宜の伸縮力を有する帯状の第１アンカー部が前記ウェスト部を囲繞するように設けてあり、前記両大腿部領域の適宜位置にそれぞれ、周囲の伸縮力より強い適宜の伸縮力を有する帯状の第２アンカー部が前記大腿部を囲繞するように設けてあり、前記第１アンカー部と両第２アンカー部との間にそれぞれ、その両端部が第１アンカー部及び第２アンカー部によって支持され、周囲の伸縮力より強い適宜の伸縮力を有する帯状の第１緊締部及び第２緊締部が延設してあり、該第１緊締部と第２緊締部とは、前記パンティ部領域の側部であって着用者の大転子に対向する大転子部位で交差するようになしてあることを特徴とする。
【００１８】
本発明の被服にあっては、第１アンカー部及び両第２アンカー部にその両端が支持された二対の帯状の第１緊締部及び第２緊締部が、パンティ部領域の両側部においてＸ字状に延設してあり、これら第１緊締部及び第２緊締部は周囲の伸縮力より強い適宜の伸縮力を有するため、着用者の骨盤を内側へ締め付ける。
【００１９】
この締め付け力は第１緊締部及び第２緊締部の交差箇所において最も作用するが、当該交差箇所たる大転子部位は着用者の大転子に対向するようになしてあるため、着用者の大転子に側方から締め付け力が加えられる。
これによって、当該着用者の開いた状態の骨盤が閉じた状態へ矯正され、臀部の形状がその骨格から良好に調整される。
【００２０】
このとき、第１緊締部及び第２緊締部の一端部は第１アンカー部に支持・固定されており、第１緊締部及び第２緊締部の他端部は第２アンカー部に支持・固定されている一方、着用者の大転子は着用者のウェスト部及び大腿部より外側へ張り出しているため、第１緊締部及び第２緊締部から着用者の大転子に大きな締め付け力を加えることができる。
【００２１】
また、このように第１緊締部及び第２緊締部の両端部が第１アンカー部及び第２アンカー部により支持・固定されているため、着用者が動いた場合であっても、当該着用者における第１緊締部及び第２緊締部の両端部の位置にずれが生じることが防止される。そのため、着用者の動きに伴って前述した第１緊締部及び第２緊締部による大転子への締め付け作用が低減される虞がない。
【００２２】
なお、かかる被服は、着用者のウェスト部、下腹部及び臀部を囲繞し、伸縮性を有するパンティ部領域と、着用者の両大腿部を各別に囲繞し、伸縮性を有する一対の大腿部領域とを少なくとも備えていればよく、例えば膝上までの丈のスパッツ又はガードル、足首までの丈のスパッツ、タイツ、ストッキング、着用者の上半身も被覆するボディースーツ等に適用することができる。また、インナーウウェア及びアウターウェアのいずれにも適用することができる。
【００２３】
（２）本発明に係る被服は必要に応じて、前記第１緊締部は、第１アンカー部の前部位置から前記大転子部位を経て、大腿部領域の内側へ廻りこみ、更に第２アンカー部の前部位置に亘って螺旋状に延設してあることを特徴とする。
【００２４】
本発明の被服にあっては、第１緊締部は、第１アンカー部の前部位置から前記大転子部位を経て、大腿部領域の内側へ廻りこみ、更に第２アンカー部の前部位置に亘って螺旋状に延設してあるため、歩行といった着用者の動作によって着用者の大腿部が前方へ引き上げられた場合、第１緊締部の第２アンカー部側の端部と大転子部位との間の距離が拡大し、これによって第１緊締部の大転子部位から第２アンカー部側の端部までの領域が伸張するので、大転子部位における着用者の大転子への締め付け力が増大する。
【００２５】
また、着用者の動作によって着用者の大腿部が後方へ蹴り出された場合も、第１緊締部の第２アンカー部側の端部と大転子部位との間の距離、特に第１緊締部の大腿部裏面中央に位置する部分と大転子部位との間の距離が拡大し、これによって少なくとも大転子部位から前記第１緊締部の大腿部裏面中央に位置する部分までの領域が伸張するので、大転子部位における着用者の大転子への締め付け力が増大する。
【００２６】
一方、歩行といった着用者の大腿部の運動に伴って、第１緊締部が伸張するため、着用者の第１緊締部に対向する筋肉、例えば大腿四頭筋、大腿二頭筋、大殿筋等以外にも大腰筋といった、所謂インナーマッスルにも作用してそれらの筋力を増大させるので、腹部、臀部の形状が更に良好に調整されるのに加え、腰痛も軽減することができる。
【００２７】
（３）本発明に係る被服は必要に応じて、前記第２緊締部は、第１アンカー部の後部位置から前記大転子部位を経て、第２アンカー部の前部位置に亘って、前記第１緊締部とは逆向きの半螺旋状に延設してあることを特徴とする。
【００２８】
本発明の被服にあっては、第１アンカー部の後部位置から前記大転子部位を経て、第２アンカー部の前部位置に亘って、前記第１緊締部とは逆向きの半螺旋状に延設してあるため、着用者の動作によって着用者の大腿部が前方へ引き上げられた場合、第２緊締部の第２アンカー部側の端部と第１アンカー部側の端部との間の距離が拡大し、これによって第２緊締部が伸張するので、大転子部位における着用者の大転子への締め付け力が増大する。
【００２９】
また、着用者の動作によって着用者の大腿部が後方へ蹴り出された場合も、第２緊締部の大腿部裏面中央に位置する部分と大転子部位との間の距離が拡大し、これによって少なくとも大転子部位から前記第２緊締部の大腿部裏面中央に位置する部分までの領域が伸張するので、大転子部位における着用者の大転子への締め付け力が増大する。
【００３０】
一方、歩行といった着用者の大腿部の運動に伴って、第２緊締部が伸張するため、着用者の第２緊締部に対向する筋肉、例えば大腿四頭筋、大腿二頭筋、大殿筋等以外にも大腰筋といった、所謂インナーマッスルにも作用してそれらの筋力を増大させるので、腹部、臀部の形状が更に良好に調整されるのに加え、腰痛も軽減することができる。
【００３１】
（４）本発明に係る被服は必要に応じて、前記パンティ部領域の大転子部位の裏面に複数の凹凸が設けてあることを特徴とする。
本発明の被服にあっては、パンティ部領域の大転子部位の裏面に複数の凹凸が設けてある。かかる凹凸は、ウェーブ編又はリブ編といった編成組織によって形成することができ、また、樹脂といった摩擦抵抗が比較的大きい部材を接着又は融着させて形成することもできる。
【００３２】
大転子部位に設けられた複数の凹凸によって、着用者が動いた場合であっても、着用者に対する大転子部位の位置にずれが生じることが防止されるため、当該被服を着用している間中、着用者の骨盤が矯正され続ける。
【００３３】
（５）本発明に係る被服は必要に応じて、前記第１緊締部及び第２緊締部はカットボス編によって形成してあることを特徴とする。
【００３４】
本発明の被服にあっては、第１緊締部及び第２緊締部はカットボス編によって形成してある。例えば、適宜デニールのダブルカバーリングヤーンを用いてカットボス編することによって、所要の伸縮力を有する第１緊締部及び第２緊締部を形成することができる。
【００３５】
第１緊締部及び第２緊締部をカットボス編によらず、別に編成された強伸縮力を有する帯体を編地に縫合することによって形成した場合、帯体の編成作業及び帯体の縫合作業等に多大の労力、時間、コストを要するが、本発明のように第１緊締部及び第２緊締部をカットボス編によって編地と一体的に編成した場合、前記労力、時間、コストを削減することができるのに加え、前述した大転子部位において、第１緊締部及び第２緊締部が重畳せず、ごろつき感が生じない。
【００３６】
（６）本発明に係る被服は必要に応じて、前記ウェスト部から着用者の膝上位置までを被覆するスパッツ形状になしてあることを特徴とする。
本発明の被服にあっては、ウェスト部から着用者の膝上位置までを被覆するスパッツ形状になしてあり、インナーウェア又はアウターウェアとして所要の用途に使用することができる。
【図面の簡単な説明】
【００３７】
【図１】本発明に係る被服を示す模式的正面図である。
【図２】本発明に係る被服を示す模式的背面図である。
【図３】本発明に係る被服を示す模式的側面図である。
【図４】図１に示した被服を着用した状態を示す模式的正面図である。
【図５】図１に示した被服を着用した状態を示す模式的背面図である。
【図６】図１に示した被服を着用した状態を示す模式的側面図である。
【図７】図１に示した被服を着用した着用者の歩行状態を示す模式的側面図である。
【図８】特許文献１に開示された被服を着用した状態を示す正面図である。
【図９】特許文献２に開示された被服の正面図である。
【発明を実施するための形態】
【００３８】
（本発明の第１の実施形態）
図１〜図３は、本発明に係る被服を示す模式的正面図、模式的背面図及び模式的側面図であり、膝上までの丈のスパッツに適用した場合を示している。また、図４〜図６は、図１に示した被服を着用した状態を示す模式的正面図、模式的背面図及び模式的側面図、図７は、図１に示した被服を着用した着用者の歩行状態を示す模式的側面図である。かかるスパッツはインナーとしても、またアウターとしても適用することができる。
【００３９】
これらの図面に示した如く、本体１は、着用者のウェスト部、下腹部及び臀部を囲繞するパンティ部領域２及び着用者の両太腿部を各別に囲繞する大腿部領域３，３とを適宜の伸縮力を有する組織に編成して構成してある。これらパンティ部領域２及び大腿部領域３，３の寸法は、着用者の対応部分の寸法より小さくしてあり、着用者が着用した場合、本体１の伸縮力によって当該着用者に圧接するようになしてある。
【００４０】
本体１のパンティ部領域２のウェスト開口部２０に臨む縁部には、本体１の収縮力より強い収縮力を有するように編成してなる帯状の第１アンカー部２１が、前記ウェスト開口部２０を囲繞するように設けてあり、該第１アンカー部２１によって、着用者に着用された本体１のパンティ部領域２の縁部がずれないようになしてある。
【００４１】
なお、本実施の形態にあっては、このように第１アンカー部２１はパンティ部領域２の縁部を緊締する口ゴムとしても機能するようになしてあるが、本発明はこれに限らず、第１アンカー部２１とは別に口ゴムを設け、該口ゴムと第１アンカー部２１とを連続的に、又は非連続に編成するようになしてもよい。
【００４２】
一方、本体１の大腿部領域３，３の縁にはそれぞれ、着用者の脚部を通す脚刳り部３０,３０が設けてある。これら脚刳り部３０,３０には、前記第１アンカー部２１の収縮力以上の収縮力を有するように編成してなる帯状の第２アンカー部３２,３２が、脚刳り部３０,３０の全周に亘って設けてあり、両第２アンカー部３２,３２によって、着用者に着用された本体１の大腿部領域３，３にずれ及び捲り上がり等が生じることが防止されている。
【００４３】
なお、本実施の形態にあっては、このように第２アンカー部３２,３２は大腿部領域３，３の縁部を緊締する口ゴムとしても機能するようになしてあるが、本発明はこれに限らず、大腿部領域３，３に第２アンカー部３２，３２とは別に口ゴムを設け、該口ゴムと第２アンカー部３２，３２とを連続的に、又は非連続に編成するようになしてもよい。
【００４４】
そして、本発明に係る被服にあっては、本体１の左右にそれぞれ一対、前記第１アンカー部２１の収縮力以上の収縮力を有するように編成してなる帯状の第１緊締部１１，１１及び第２緊締部１２，１２が設けてある。
【００４５】
第１緊締部１１は、第１アンカー部２１の前部の略中央位置から、パンティ部領域２の側部であって着用者の大転子に対向する箇所である大転子部位１５及びパンティ部領域２の後部であって着用者の臀部下縁近傍に対向する箇所を経て、大腿部領域３の内側へ廻りこみ、更に大腿部領域３の前部へ延びて、第２アンカー部３２の前部中央より少し外側の位置に亘って、螺旋状に延設してある。
【００４６】
一方、第２緊締部１２は、第１アンカー部２１の後部の略中央位置から、前記大転子部位１５を経て、大腿部領域３の前部へ延び、第２アンカー部３２の前部中央より少し内側の位置に亘って、第１緊締部１１とは逆向きの半螺旋状に延設してある。
【００４７】
従って、対をなす第１緊締部１１，１１と第２緊締部１２，１２とは、前述した大転子部位１５，１５及び大腿部領域３，３の前部であって第２アンカー部３２，３２より少しパンティ部領域２側の第２交差位置１６，１６でそれぞれ交差している。
【００４８】
ここで、第１アンカー部２１の前部とは、第１アンカー部２１の大転子部位１５，１５より前側の部分をいい、また、第１アンカー部２１の後部とは、第１アンカー部２１の大転子部位１５，１５より後側の部分をいう。
【００４９】
なお、本実施の形態では、第１緊締部１１は、第１アンカー部２１の前部の略中央位置に連結してあるが、本発明はこれに限らず、第１アンカー部２１の前部の適宜位置であればよい。同様に、本実施の形態では、第２緊締部１２は、第１アンカー部２１の後部の略中央位置に連結してあるが、本発明はこれに限らず、第１アンカー部２１の後部の適宜位置であればよい。
【００５０】
ところで、前述した本体１は、例えば丸編機を用いた平編によって編成することができ、また、第１緊締部１１，１１及び第２緊締部１２，１２は、本体１のベース編地にダブルカバーリングヤーンといった伸縮力が強い編糸を編み込むカットボス編によって本体１と一体的に編成することができる。
【００５１】
なお、強伸縮性を有する帯体を別に編成しておき、本体１の所定位置に縫合することによって第１緊締部１１，１１及び第２緊締部１２，１２を形成することもできるが、帯体の編成作業及び帯体の本体１の所定位置への縫合作業等に労力、時間、コストを要する。一方、前述した如く、第１緊締部１１，１１及び第２緊締部１２，１２を本体１と一体的に編成した場合、前述した大転子部位１５，１５及び第２交差位置１６，１６において、第１緊締部１１，１１及び第２緊締部１２，１２が重畳せず、ごろつき感が生じない。
【００５２】
一方、前述した第１アンカー部２１及び第２アンカー部３２,３２は、例えば所定の長さ寸法までゴム編した強収縮領域を袋状に折り返し、縁部を縫合することによって形成することができる。この場合、強収縮領域には伸縮力が強い補強糸を編み込むとよい。なお、第１アンカー部２１及び第２アンカー部３２,３２の一方、又は両方にあっては、強収縮領域を折り返さずに一重になしてもよい。
【００５３】
第１アンカー部２１及び第２アンカー部３２,３２の幅寸法は適宜でよいが、着用者に着用された場合、大腿部領域３，３における運動が大きいので、大腿部領域３，３の位置ずれを防止するために、第２アンカー部３２,３２は５〜１０ｃｍ程度と幅広にするとよい。一方、着用者に着用された場合であっても、パンティ部領域２の縁における運動は大腿部領域３，３における運動より小さいので、第１アンカー部２１の幅寸法は第２アンカー部３２,３２のそれより狭くすることができる。
【００５４】
ところで、前述した大転子部位１５，１５及び第２交差位置１６，１６にあっては、ウェーブ編又はリブ編等によって複数の凹凸が設けてあり、これによって、本体１を装着した着用者が動いた場合であっても、着用者に対する大転子部位１５，１５及び第２交差位置１６，１６の位置にずれが生じることが防止される。
【００５５】
このような被服にあっては、図６に示した如く、第１アンカー部２１及び第２アンカー部３２,３２にその両端が支持された第１緊締部１１，１１及び第２緊締部１２，１２が、パンティ部領域２の両側部においてＸ字状に延設してあるため、着用者の骨盤を内側へ締め付ける。この締め付け力は第１緊締部１１，１１及び第２緊締部１２，１２の交差箇所において最も作用するが、前述したように当該交差箇所たる大転子部位１５,１５は着用者の大転子に対向するようになしてあるため、着用した着用者の大転子に側方から大きな締め付け力が加えられる。
【００５６】
これによって、当該着用者の開いた状態の骨盤が閉じた状態へ矯正され、臀部の形状がその骨格から良好に調整される。
【００５７】
このとき、第１緊締部１１，１１及び第２緊締部１２，１２の一端部は第１アンカー部２１に支持・固定されており、第１緊締部１１，１１及び第２緊締部１２，１２の他端部は第２アンカー部３２に支持・固定されているので、当該被服を着用した着用者が動いた場合であっても、当該着用者における第１緊締部１１，１１及び第２緊締部１２，１２の両端部の位置にずれが生じることが防止される。そのため、着用者の動きに伴って前述した第１緊締部１１，１１及び第２緊締部１２，１２による大転子への締め付け作用が低減される虞がない。
【００５８】
更に、第１緊締部１１は、前述したように第１アンカー部２１の前部位置から、大転子部位１５及び着用者の臀部下縁に対向する箇所を経て、大腿部領域３の内側へ廻りこみ、第２アンカー部３２の略前部中央位置に亘って、螺旋状に延設してあるため、歩行といった着用者の動作によって着用者の大腿部が前方へ引き上げられた場合、第１緊締部１１の第２アンカー部３２側の端部と大転子部位１５との間の距離が拡大し、これによって図７に示した如く、第１緊締部１１の大転子部位１５から第２アンカー部３２側の端部までの領域が伸張するので、大転子部位１５における着用者の大転子への締め付け力が増大する。
【００５９】
また、着用者の動作によって着用者の大腿部が後方へ蹴り出された場合も、第１緊締部１１の第２アンカー部３２側の端部と大転子部位１５との間の距離、特に第１緊締部１１の大腿部裏面中央に位置する部分と大転子部位１５との間の距離が拡大し、これによって少なくとも大転子部位１５から前記第１緊締部１１の大腿部裏面中央に位置する部分までの領域が伸張するので、大転子部位１５における着用者の大転子への締め付け力が増大する。
【００６０】
一方、第２緊締部１２は、前述したように第１アンカー部２１の後部中央位置から、大転子部位１５を経て、大腿部領域３の前部へ延び、第２アンカー部３２の略前部中央位置に亘って、第１緊締部１１とは逆向きの半螺旋状に延設してあるため、着用者の動作によって着用者の大腿部が前方へ引き上げられた場合、第２緊締部１２の第２アンカー部３２の端部と第１アンカー部２１側の端部との間の距離が拡大し、これによって第２緊締部１２が伸張するので、大転子部位１５における着用者の大転子への締め付け力が増大する。
【００６１】
また、着用者の動作によって着用者の大腿部が後方へ蹴り出された場合も、特に第２緊締部１２の大腿部裏面中央に位置する部分と大転子部位１５との間の距離が拡大し、これによって少なくとも大転子部位１５から前記第２緊締部１２の大腿部裏面中央に位置する部分までの領域が伸張するので、大転子部位１５における着用者の大転子への締め付け力が増大する。
【００６２】
このように第１緊締部１１及び第２緊締部１２はいずれも、着用者の大腿部の前後運動に伴って着用者の大転子への締め付け力が増大するので、着用者が歩行することによって、当該着用者の開いた状態の骨盤が閉じた状態へより矯正され、臀部の形状がその骨格からより良好に調整される。
【００６３】
ところで、前述した如く大転子部位１５,１５の裏面には複数の凹凸が設けてあり、被服を装着した着用者が動いた場合であっても、着用者に対する大転子部位１５，１５の位置にずれが生じることが防止されるため、被服を着用している間中、着用者の骨盤が矯正され続ける。
【００６４】
一方、前述したように歩行といった着用者の大腿部の運動に伴って、第１緊締部１１及び第２緊締部１２が伸張するため、着用者の第１緊締部１１及び第２緊締部１２に対向する筋肉、例えば大腿四頭筋、大腿二頭筋、大殿筋等以外にも大腰筋といった、所謂インナーマッスルにも作用してそれらの筋力を増大させるので、腹部、臀部の形状が更に良好に調整されるのに加え、腰痛も軽減することができる。
【００６５】
このような作用は前述した如く、着用者の大腿部の引き上げといった前方運動だけでなく、大腿部の後方への蹴り出しといった後方運動によっても発揮されるため、非常に効率的である。このように、着用者の大腿部の前方運動及び後方運動の両方で前記作用が発揮されるので、前述した如く第１緊締部１１が螺旋状に延設され、また第２緊締部１２が半螺旋状に延設されているためである。
【００６６】
また、第１緊締部１１及び第２緊締部１２によって着用者の動作時に大腿部に負荷がかかるため、その負荷に抵抗すべく、着用者の外腹斜筋又は内腹斜筋といった腹筋の筋力も増大される。これによって、着用者の腹部のスタイル及び着用者の姿勢が良好に改善される。
更に、第１緊締部１１及び第２緊締部１２は、着用者の下腹部を押圧すると共に、臀部を持ち上げて着用者の外側形状を補正する作用も有する。
【００６７】
なお、本実施の形態にあっては、第１緊締部１１と第２緊締部１２とを第２交差位置１６で交差させてあるが、本発明はこれに限らず、対をなす第１緊締部１１と第２緊締部１２とを第２交差位置１６で交差させない構成であってもよい。この場合、第１緊締部１１の第２アンカー部３２側の端部及び第２緊締部１２の第２アンカー部３２側の端部は、第２アンカー部３２の前部の適宜位置に連結させればよい。ここで、第２アンカー部３２の前部は、第２アンカー部３２の大転子部位１５，１５より前側の部分をいう。
【００６８】
この場合であっても、第１緊締部１１及び第２緊締部１２が着用者の大腿四頭筋といった大腿部の筋肉に強く作用して、大腿部を引き上げようとする際に適当な負荷が加えられるため、大腿部の筋肉のみならず、着用者の臀部、腰部及び腹部の外筋（アウターマッスル）及び内筋（インナーマッスル）が鍛錬される。従って、臀部、腰部及び腹部のスタイルが改善されると共に、腰痛が軽減される。
【００６９】
一方、本実施の形態にあっては、膝上までの丈のスパッツに適用した場合について示したが、本発明はこれに限らず、足首までの丈のロングスパッツ、タイツ、着用者の上半身も被覆するボディースーツ等、着用者のウェスト部、下腹部及び臀部を囲繞するパンティ部領域と、着用者の両大腿部を各別に囲繞する大腿部領域とを少なくとも備える被服に適用することができる。
【符号の説明】
【００７０】
１    本体
２    パンティ部領域
３    大腿部領域
１１    第１緊締部
１２    第２緊締部
１５    大転子部位
２１    第１アンカー部
３２    第２アンカー部
【図１】
2010248652.tif 000003
【図２】
2010248652.tif 000004
【図３】
2010248652.tif 000005
【図４】
2010248652.tif 000006
【図５】
2010248652.tif 000007
【図６】
2010248652.tif 000008
【図７】
2010248652.tif 000009
【図８】
2010248652.tif 000010
【図９】
2010248652.tif 000011